(57)【特許請求の範囲】
【請求項１】
１本の伝送路により双方向通信を行なう伝送装置であって、
前記伝送路の両端に設けられ、入力された第１及び第２のデータのディジタル符号の組合せに応じて４通りの電圧値を前記伝送路上に出力する第１の送信回路と、
前記伝送路上における４通りの電圧値に基づいて前記第１及び第２のデータのディジタル符号を判別する受信回路と、
を具備し、
前記第１の送信回路は、
入力された第１のデータのディジタル符号に応じて２通りの電圧値を前記伝送路上に出力する第２の送信回路と、
前記第２の送信回路により前記伝送路上に出力されたデータの電圧値を入力された第２のデータのディジタル符号に応じて２通りの倍率で変化させる第３の送信回路と、
を具備することを特徴とする伝送装置。
【請求項２】
１本の伝送路により双方向通信を行なう二重伝送方式であって、
前記伝送路の両端に入力された第１及び第２のデータのディジタル符号の組合せに応じて４通りの電圧値を前記伝送路上に出力し、
前記伝送路上における４通りの電圧値に基づいて前記第１及び第２のデータのディジタル符号を判別し、
入力された第１のデータのディジタル符号に応じて２通りの電圧値を前記伝送路上に出力し、
前記伝送路上に出力されたデータの２通りの電圧値を入力された第２のデータのディジタル符号に応じて２通りの倍率で変化させる、
ことを特徴とする二重伝送方式。
【発明の詳細な説明】
【技術分野】
【０００１】
本発明は、例えば、１本の伝送路で双方向に通信を行う伝送装置及び二重伝送方式に関する。
【背景技術】
【０００２】
従来の伝送路の二重通信方式は、半二重通信を行うのが一般的であった。即ち、共通に使用する１つの伝送路の両端において、ディジタルデータの送受信を行なう場合、伝送路の両端に接続される送受信回路を手動により送信と受信とを切替えて送受信を行なっていた。この為、例えば、一方が送信中の場合、他方は受信のみしかできず、送信はできなかった。
【０００３】
しかし、この場合、送信と受信との間の無通信時間が生じ、伝送効率が低下するという問題点があった。
【０００４】
そこで、１つの伝送路の両端から同時にデータビットを送信し、これにより生じる伝送路の伝送路状態の変化を検出し、検出信号と送信する送信信号とから受信信号を判定することにより全二重通信を行う伝送路の二重通信方式が提示されている（例えば、特許文献１参照）。
【特許文献１】特開平１１−６８７２０号公報
【発明の開示】
【発明が解決しようとする課題】
【０００５】
上記した技術によると、伝送路データ検出回路が伝送路の電流を監視して、送受信信号のディジタル符号の判別を行っていた。この為、例えば、伝送路がローインピダンスである場合、送受信装置の消費電流が増大し、伝送効率が悪化するという問題がある。また、伝送路がハイインピーダンスである場合、伝送路を流れる電流が微少となり、送受信信号の判別が困難、あるいは誤判定してしまうという問題がある。
【０００６】
そこで、本発明の一形態は、上記した問題点を解決するものであり、簡素な構成でより正確に全二重通信を行なう事ができる伝送装置及び二重伝送方式を提供することにある。
【課題を解決するための手段】
【０００７】
本発明の一実施形態としての伝送装置は、１本の伝送路により双方向通信を行なう伝送装置であって、前記伝送路の両端に設けられ、入力された第１及び第２のデータのディジタル符号の組合せに応じて４通りの電圧値を前記伝送路上に出力する第１の送信回路と、前記伝送路上における４通りの電圧値に基づいて前記第１及び第２のデータのディジタル符号を判別する受信回路と、を具備し、前記第１の送信回路は、入力された第１のデータのディジタル符号に応じて２通りの電圧値を前記伝送路上に出力する第２の送信回路と、前記第２の送信回路により前記伝送路上に出力されたデータの電圧値を入力された第２のデータのディジタル符号に応じて２通りの倍率で変化させる第３の送信回路と、を具備する。
【発明の効果】
【０００９】
この発明の一形態によれば、簡素な構成でより正確に全二重通信を行なう事ができる伝送装置及び二重伝送方式を提供することができる。
【発明を実施するための最良の形態】
【００１０】
以下、図面を参照しながら、本発明の一実施形態に係る伝送装置及び二重伝送方式について詳細に説明する。
【００１１】
図１は、本発明の一実施形態に係る伝送装置及び伝送路を概略的に示すブロック図である。  
伝送装置１及び伝送装置３は、送信回路及び受信回路をそれぞれ備えている。また、伝送装置１と伝送装置３とは１本の伝送路２を介して接続されており、双方向にデータ通信を行う。
【００１２】
伝送装置１は、送信回路１１及び受信回路１２を備えている。図１に示すように、データＴｘが送信回路１１に入力される。送信回路１１は、入力されたデータＴｘを伝送路２に出力し、伝送装置３に送信する。また、受信回路１２は、伝送路２から信号を受信し、再生する。
【００１３】
伝送装置３は、送信回路３１及び受信回路３２を備えている。図１に示すように、データＲｘが送信回路３１に入力される。送信回路３１は、入力されたデータＲｘを伝送路２に出力し、伝送装置１に送信する。また、受信回路３２は、伝送路２から信号を受信し、再生する。
【００１４】
即ち、データＴｘは、伝送装置１から伝送装置３へ送信されるデータを表す。また、Ｒｘは、伝送装置３から伝送装置１へ送信されるデータを表す。データＴｘ及びデータＲｘは、それぞれ２通りのディジタル符号で表現される。即ち、伝送路２上では、４通りの電圧値で表現される。
【００１５】
伝送装置１の送信回路１１は、データＴｘのディジタル符号に応じて、２通りの電圧値を伝送路２に出力する。また、伝送装置３の送信回路３１は、データＲｘのディジタル符号に応じて、２通りの電圧値を伝送路２に出力する。この結果、伝送路２上の状態は、図２に示すように、データＴｘがＬｏｗでありデータＲｘがＬｏｗ、データＴｘがＬｏｗでありデータＲｘがＨｉｇｈ、データＴｘがＨｉｇｈでありデータＲｘがＬｏｗ、データＴｘがＨｉｇｈでありデータＲｘがＨｉｇｈである状態のいずれかになる。
【００１６】
図３は、図１に示す伝送装置１の送信回路１１の構成例を示す図である。  
送信回路１１にデータＴｘが入力されると、スウィッチＳＷ１は、データＴｘのディジタル符号に応じて抵抗Ｒ１と抵抗Ｒ２とを切り替える。
【００１７】
なお、データＴｘのディジタル符号が「１」である場合、トランジスタＴＲ１のベース端子における電圧が４．７Ｖになり、且つ、データＴｘのディジタル符号が「０」である場合、トランジスタＴＲ１のベース端子における電圧が２．７Ｖになるように、各抵抗の値が設定されている。
【００１８】
また、伝送路２の片端が開放されている、即ち、伝送装置３が未接続である場合、トランジスタＴＲ１のエミッタ端子に接続された伝送路２の電圧が、データＴｘのディジタル符号が「１」である場合に４Ｖ、データＴｘのディジタル符号が「０」である場合に３Ｖとなるように抵抗Ｒ５の値が調整されている。
【００１９】
図４は、図１に示す伝送装置３の送信回路３１の構成例を示す図である。  
送信回路３１にデータＲｘが入力されると、スウィッチＳＷ２は、データＲｘのディジタル符号に応じて抵抗Ｒ５と高抵抗である抵抗Ｒ６とを切り替える。
【００２０】
即ち、データＲｘのディジタル符号が「１」である場合、伝送路２を抵抗Ｒ６を介してグランドに接続する。この場合、データＴｘのディジタル符号に応じて変化する伝送路２の電圧がほとんど変わらなくなる。即ち、伝送路２において、データＴｘのディジタル符号が「１」のである場合４Ｖ、データＴｘのディジタル符号が「０」のである場合３Ｖが検出される。
【００２１】
また、データＲｘのディジタル符号が「０」である場合、伝送路２を抵抗Ｒ５を介してグランドに接続する。送信回路３１の抵抗Ｒ５と送信回路１１の抵抗Ｒ５の値は同じであるので、伝送路２の電圧は、片端が開放されている場合の電圧値の半分の値となる。即ち、伝送路２の電圧値は、データＴｘのディジタル符号が「１」である場合に２Ｖ、データＴｘのディジタル符号が「０」である場合に１．５Ｖとなる。
【００２２】
上記したように、伝送路２の電圧値は、データＴｘおよびデータＲｘのディジタル符号に応じて、１．５Ｖ、２Ｖ、３Ｖ及び４Ｖのいずれかの値となる。即ち、伝送装置１の受信回路１２及び伝送装置３の受信回路３２は、伝送路２の電圧値に基づいて、データＴｘ及びデータＲｘのディジタル符号を判別することが出来る。
【００２３】
図５は、図１に示す伝送装置１の受信回路１２の構成例を示す図である。  
受信回路１２の入力電圧の値は、データＲｘのディジタル符号が「１」である場合、図２に示すように、３Ｖ或いは４Ｖとなる。また、データＲｘのディジタル符号が「０」である場合、受信回路１２の入力電圧の値は、図２に示すように、１．５Ｖ或いは２Ｖとなる。例えば、図５に示すように、２．５Ｖを閾値として「１」と「０」との判別を行なう事により、データＲｘを再生することが出来る。
【００２４】
図６は、図１に示す伝送装置３の受信回路３２の構成例を示す図である。  
受信回路３２の入力電圧の値は、データＴｘのディジタル符号が「１」である場合、２Ｖ或いは４Ｖとなる。また、データＴｘのディジタル符号が「０」である場合、受信回路１２の入力電圧の値は、１．５Ｖ或いは３Ｖとなる。この場合、閾値を定めても「１」及び「０」の判別を行なう事ができない。
【００２５】
そこで、図６に示すように、データＲｘが「０」である場合に受信回路３２の入力電圧の値を２倍にする回路を設ける。これにより、図２に示すように、受信回路３２は、データＴｘのディジタル符号が「１」である場合、４Ｖの電圧値を検出し、データＴｘのディジタル符号が「０」である場合、３Ｖの電圧値を検出するようになる。
【００２６】
ここで、例えば、図６に示すように、３．５Ｖを閾値として「１」と「０」との判別を行なう事により、データＲｘを再生することが出来る。
【００２７】
上記したように、１本の伝送路で双方向通信を行う通信方式において、双方の送信データのディジタル符号の組合せに対応して４通りの電圧値が伝送路上に出力される。双方の受信回路は、この４通りの電圧値に基づいて、受信したデータのディジタル符号を判別することができる。
【００２８】
この結果として、簡素な構成でより正確に全二重通信を行なう事ができる伝送装置及び二重伝送方式を提供することができる。
【００２９】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００３０】
上記の実施形態における送信回路及び受信回路の回路構成は一例として示したものであり、伝送路上に４通りの電圧値を出力する回路構成であれば如何なるものを用いてもよい。  
以下に本件出願当初の特許請求の範囲に記載された発明を付記する。 
［Ｃ１］
１本の伝送路により双方向通信を行なう伝送装置であって、
前記伝送路の両端に設けられ、入力された第１及び第２のデータのディジタル符号の組合せに応じて４通りの電圧値を前記伝送路上に出力する第１の送信回路と、
前記伝送路上における４通りの電圧値に基づいて前記第１及び第２のデータのディジタル符号を判別する受信回路と、
を具備することを特徴とする伝送装置。
［Ｃ２］
前記第１の送信回路は、
入力された第１のデータのディジタル符号に応じて２通りの電圧値を前記伝送路上に出力する第２の送信回路と、
前記第２の送信回路により前記伝送路上に出力されたデータの電圧値を入力された第２のデータのディジタル符号に応じて２通りの倍率で変化させる第３の送信回路と
を具備することを特徴とするＣ１に記載の伝送装置。
［Ｃ３］
１本の伝送路により双方向通信を行なう二重伝送方式であって、
前記伝送路の両端に入力された第１及び第２のデータのディジタル符号の組合せに応じて４通りの電圧値を前記伝送路上に出力し、
前記伝送路上における４通りの電圧値に基づいて前記第１及び第２のデータのディジタル符号を判別する、
ことを特徴とする伝送装置。
［Ｃ４］
入力された第１のデータのディジタル符号に応じて２通りの電圧値を前記伝送路上に出力し、
前記伝送路上に出力されたデータの２通りの電圧値を入力された第２のデータのディジタル符号に応じて２通りの倍率で変化させる
ことを特徴とするＣ３に記載の伝送装置。
【図面の簡単な説明】
【００３１】
【図１】図１は、本発明の一実施形態に係る伝送装置及び伝送路を概略的に示すブロック図である。
【図２】図２は、各データと検出電圧の関係を示す図である。
【図３】図３は、図１に示す伝送装置の送信回路の構成例を示す図である。
【図４】図４は、図１に示す伝送装置の送信回路の構成例を示す図である。
【図５】図５は、図１に示す伝送装置の受信回路の構成例を示す図である。
【図６】図６は、図１に示す伝送装置の受信回路の構成例を示す図である。
【符号の説明】
【００３２】
１…伝送装置、２…伝送路、３…伝送装置、１１…送信回路、１２…受信回路、３１…送信回路、３２…受信回路。
【図１】
0005085382.tif 000002
【図２】
0005085382.tif 000003
【図３】
0005085382.tif 000004
【図４】
0005085382.tif 000005
【図５】
0005085382.tif 000006
【図６】
0005085382.tif 000007